(57)【要約】      （修正有）【課題】サンプル展示室内において商品サンプルを自由に配置することにより販売促進効果の向上を図ることのできる自動販売機を提供する。【解決手段】サンプル展示室２１内の上下方向及び左右方向のそれぞれ任意の位置に商品サンプル３０を係止可能なように、サンプル展示室２１内の面発光パネル２１６に商品サンプル３０を係止するようにしたので、従来のように商品サンプル３０を取り付けるためのサンプル台を必要とすることなく、サンプル展示室２１内の上下方向及び左右方向のそれぞれ任意の位置に商品サンプル３０を取り付けることができ、サンプル展示室２１内において商品サンプル３０を自由に配置することにより販売促進効果の向上を図ることが可能となる。【選択図】図２
2008139974.tif 000002
【特許請求の範囲】
【請求項１】
販売する商品の商品サンプルを展示するためのサンプル展示室を備えた自動販売機において、
前記サンプル展示室内の背面側の部材に、サンプル展示室内の上下方向及び左右方向のそれぞれの任意の位置に商品サンプルを係止可能なサンプル係止部を設けた
ことを特徴とする自動販売機。
【請求項２】
前記サンプル係止部として、サンプル展示室内の背面側の部材に、商品サンプル側の係合部が係合可能な複数のサンプル係止孔を設けた
ことを特徴とする請求項１記載の自動販売機。
【請求項３】
前記商品サンプルを保持するサンプル保持部材を備え、
サンプル係止部として、サンプル展示室内の背面側の部材に、サンプル保持部材の係合部が係合可能な複数のサンプル係止孔を設けた
ことを特徴とする請求項１記載の自動販売機。
【請求項４】
前記サンプル係止部として、サンプル展示室内の背面側の部材に、商品サンプル側に設けられた上下複数の係合部が係合可能な左右方向に亘って前方に延びる延出部を設けた
ことを特徴とする請求項１記載の自動販売機。
【請求項５】
前記商品サンプルの上下方向任意の位置を保持可能なサンプル保持部材を備え、
サンプル係止部として、サンプル展示室内の背面側の部材に、サンプル保持部材の係合部が係合可能な左右方向に亘って前方に延びる延出部を設けた
ことを特徴とする請求項１記載の自動販売機。
【発明の詳細な説明】
【技術分野】
【０００１】
本発明は、本発明は商品サンプルを展示するためのサンプル展示室を備えた自動販売機に関するものである。
【背景技術】
【０００２】
従来、この種の自動販売機としては、外扉の上部に設けられ、販売する商品の商品サンプルを展示するためのサンプル展示室を備えたものが知られている（例えば、特許文献１参照）。
【特許文献１】特開２００２−１７５５６１号公報
【発明の開示】
【発明が解決しようとする課題】
【０００３】
従来の自動販売機では、サンプル展示室内を左右方向に延びるサンプル台をサンプル展示室内の上下に複数設け、サンプル台の上面に互いに左右方向に並ぶように設けられたサンプル取付部に商品サンプルを取り付けるようになっている。このため、サンプル展示室内における商品サンプルの配置は、上下方向及び左右方向に制限され、商品サンプルを効果的にサンプル展示室内に展示することができないという問題点があった。
【０００４】
本発明は前記問題点に鑑みてなされたものであり、その目的とするところは、サンプル展示室内において商品サンプルを自由に配置することにより販売促進効果の向上を図ることのできる自動販売機を提供することにある。
【課題を解決するための手段】
【０００５】
本発明は前記目的を達成するために、販売する商品の商品サンプルを展示するためのサンプル展示室を備えた自動販売機において、前記サンプル展示室内の背面側の部材に、サンプル展示室内の上下方向及び左右方向のそれぞれの任意の位置に商品サンプルを係止可能なサンプル係止部を設けている。
【０００６】
これにより、商品サンプルがサンプル展示室内の背面側の部材に取り付けられることから、サンプル台を用いることなくサンプル展示室内の上下方向及び左右方向のそれぞれ任意の位置に商品サンプルが取り付けられる。
【発明の効果】
【０００７】
本発明によれば、従来のように商品サンプルを取り付けるためのサンプル台を必要とすることなく、サンプル展示室内の上下方向及び左右方向のそれぞれ任意の位置に商品サンプルを取り付けることができるので、サンプル展示室内において商品サンプルを自由に配置することにより販売促進効果の向上を図ることが可能となる。
【発明を実施するための最良の形態】
【０００８】
図１乃至図６は本発明の第１の実施形態を示すもので、図１は自動販売機の全体斜視図、図２は自動販売機の側面断面図、図３はサンプル展示室を示す自動販売機の要部正面図、図４は面発光パネル及び商品サンプルの側面断面図、図５は商品サンプルの取り付け方法を示す面発光パネル及び商品サンプルの分解斜視図、図６は商品サンプルの取り付け状態を示す面発光パネル及び商品サンプルの斜視図である。
【０００９】
この自動販売機は、前面に開口部を有する自動販売機本体１０と、左右方向の一端側が自動販売機本体１０の開口部の左右方向の一端側に回転自在に支持され、自動販売機本体１０の開口部を開閉する外扉２０とを備えている。
【００１０】
自動販売機本体１０は、内部を上下に仕切ることにより上部に商品収納室１１が設けられ、下部に機械室１２が設けられている。商品収納室１１は、上面側、背面側、底面側及び左右両側面側が断熱材１１ａによって囲まれており、前面側が自動販売機本体１０に左右方向の一端側が回転自在に支持された断熱性の内扉１３によって開閉されるようになっている。商品収納室１１には、缶入り飲料またはペットボトル飲料等の商品を上下に積み重ねて収納し、下端側から商品を一つずつ搬出可能な商品収納コラム１１ｂが複数設けられている。また、商品収納室１１の下部には、各商品収納コラム１１ｂから下方に搬出された商品を前方に案内するための傾斜板１１ｃが前下がりに傾斜するように設けられている。傾斜板１１ｃの下方には、商品収納室１１内を冷却するための冷却器１１ｄ及び冷却器用送風機１１ｅが設けられている。内扉１３の下部には、商品収納室１１内側と外扉２０側を連通する商品搬出口１３ａが左右に複数設けられ、各商品搬出口１３ａの上端には商品搬出口１３ａを開閉するための搬出扉１３ｂが回転自在に支持されている。機械室１２内には、圧縮機１２ａ、凝縮器１２ｂ及び凝縮器用送風機１２ｃ等の冷凍機器が収納されている。
【００１１】
外扉２０には、自動販売機本体１０内に収納される販売商品の商品サンプル３０を展示するためのサンプル展示室２１、テンキー式の商品選択部２２、硬貨投入口２３、紙幣投入口２４、表示パネル２５、返却レバー２６、外扉２０開閉用のハンドル２７、硬貨返却口２８及び商品取出口２９が設けられている。
【００１２】
サンプル展示室２１は、上面側、底面側、左右両側面側及び背面側がそれぞれ鋼板等からなる上面板２１１、底面板２１２、側板２１３及び背面板２１４によって覆われており、前面側が内部を視認可能なように樹脂製の透明板２１５によって覆われている。また、背面板２１４は、左右方向一端側が外扉２０に回転自在に支持されており、サンプル展示室２１を外扉２０の背面側から開閉するようになっている。
【００１３】
背面板２１４の前面側には、サンプル展示室２１内に取り付けられた商品サンプル３０を背面側から照明するための面発光パネル２１６が設けられている。
【００１４】
商品サンプル３０は、透明または半透明の合成樹脂を販売する商品の前面側半分の形状に形成した部材からなり、販売する商品の前面側の図柄が印刷されている。また、商品サンプル３０は、背面側が開口された中空状に形成されている。商品サンプル３０は、背面側から光を照射することによって前面側に向かって商品を表示するようになっている。
【００１５】
面発光パネル２１６は、アクリル樹脂等からなる周知の導光板からなり、端部に発光ダイオードや冷陰極管等の発光源２１６ａが設けられている。面発光パネル２１６は、端部から入光する発光源２１６ａの光を反射させることにより、前面側全体から均一に発光するものである。また、面発光パネル２１６には、上下方向及び左右方向の任意の位置に商品サンプル３０を着脱自在に取り付けることができるようになっている。面発光パネル２１６には、商品サンプル３０を保持するサンプル保持部材２１７を係止するための複数のサンプル係止部としてのサンプル係止孔２１６ｂが設けられ、係止孔２１６ｂに係止されたサンプル保持部材２１７に商品サンプル３０を保持させることにより面発光パネル２１６に商品サンプル３０が取り付けられるようになっている。
【００１６】
サンプル保持部材２１７は、合成樹脂等の可撓性を有する部材からなり、面発光パネル２１６の係止孔２１６ｂに係合する係合部２１７ａと、商品サンプル３０を保持する保持部２１７ｂとからなる。係合部２１７ａは、端部の上下両側から保持部２１７ｂ側に向かってそれぞれ上下に広がるように係合片２１７ｃが設けられている。即ち、面発光パネル２１６の前面側から係止孔２１６ｂにサンプル保持部材２１７の係合部２１７ａを挿入すると、係合部２１７ａは係合片２１７ｃを撓ませながら係止孔２１６ｂに挿入され、面発光パネル２１６の背面側において係合片２１７ｃが上下に広がることにより、係止孔２１６ｂにサンプル保持部材２１７が取り付けられる。また、保持部２１７ｂは、上下両側から前方に延びる一対の保持片２１７ｄが設けられている。即ち、商品サンプル３０は、背面側の端部を各保持片２１７ｄの間に挿入することにより、上下一対の保持片２１７ｄによって端部が挟まれてサンプル保持部材２１７によって保持される。
【００１７】
以上のように構成された自動販売機において、サンプル展示室２１内に商品サンプル３０を展示する場合には、まず、外扉２０を開放してサンプル展示室２１の背面板２１４を開放する。次に、面発光パネル２１６の所定位置に対応する係止孔２１６ｂにサンプル保持部材２１７の係合部２１７ａを挿入して面発光パネル２１６にサンプル保持部材２１７を取り付ける。面発光パネル２１６に取り付けられた各サンプル保持部材２１７にそれぞれ商品サンプル３０を保持させて背面板２１４及び外扉２０を閉鎖することにより、サンプル展示室２１内に商品サンプル３０が展示される。また、商品サンプル３０の位置を変更する場合には、サンプル保持部材２１７の係合片２１７ｃを撓ませながらサンプル保持部材２１７を面発光パネル２１６から取り外し、所定の位置に商品サンプル３０に取り付ける。
【００１８】
また、サンプル展示室２１内の商品サンプル３０または商品サンプル３０の近傍には、それぞれの商品サンプル３０に対応する商品番号が表示されており、利用者が商品選択部２２によって対応する商品番号を入力すると、選択された商品が搬出されるように設定されている。
【００１９】
このように、本実施形態の自動販売機によれば、サンプル展示室２１内の上下方向及び左右方向のそれぞれ任意の位置に商品サンプル３０を係止可能なように、サンプル展示室２１内の面発光パネル２１６に商品サンプル３０を係止するようにしたので、従来のように商品サンプル３０を取り付けるためのサンプル台を必要とすることなく、サンプル展示室２１内の上下方向及び左右方向のそれぞれ任意の位置に商品サンプル３０を取り付けることができ、サンプル展示室２１内において商品サンプル３０を自由に配置することにより販売促進効果の向上を図ることが可能となる。
【００２０】
また、面発光パネル２１６に、サンプル保持部材２１７の係合部２１７ａが係合可能な複数の係止孔２１６ｂを設けたので、面発光パネル２１６の所定位置に対応する係止孔２１６ｂにサンプル保持部材２１７を取り付けることにより、商品サンプル３０を面発光パネル２１６の任意の位置に配置することができ、容易に商品サンプル３０を配置することが可能となる。
【００２１】
また、商品サンプル３０を保持可能なサンプル保持部材２１７を備えたので、面発光パネル２１６の係止孔２１６ｂと係合する係合部を有しない商品サンプルも面発光パネル２１６に取り付けることができ、他の自動販売機に用いられる汎用の商品サンプルを商品サンプル３０として利用することが可能となる。
【００２２】
尚、前記実施形態では、面発光パネル２１６に商品サンプル３０を係止するために、面発光パネル２１６の係止孔２１６ｂと係合する係合部２１７ａと、商品サンプル３０保持する保持部２１７ｂとを有するサンプル保持部材２１７を備えたものを示したが、面発光パネル２１６の係止孔２１６ｂと係合する係合部を有する商品サンプルを用いても、前記実施形態と同様にサンプル展示室２１内の上下方向及び左右方向のそれぞれ任意の位置に商品サンプルを取り付けることができる。
【００２３】
図７乃至図１０は本発明の第２の実施形態を示すもので、図７はサンプル展示室を示す自動販売機の要部正面図、図８は面発光パネル及び商品サンプルの側面断面図、図９は商品サンプルの取り付け方法を示す面発光パネル及び商品サンプルの分解斜視図、図１０は商品サンプルの取り付け状態を示す面発光パネル及び商品サンプルの斜視図である。
【００２４】
この自動販売機は、面発光パネル２１６の前面側に、商品サンプル３１を保持するサンプル保持部材２１８を係止するために設けられ、面発光パネル２１６の左右方向に亘って前方に延びる上下複数のサンプル係止部としての延出部２１６ｃが設けられている。
【００２５】
サンプル保持部材２１８は、合成樹脂等の可撓性を有する部材からなり、面発光パネル２１６の延出部２１６ｃと係合する上下一対の係合片２１８ａと、商品サンプル３１を保持する上下一対の保持片２１８ｂとを有している。サンプル保持部材２１８は、一対の係合片２１８ａの間に延出部２１６ｃを圧入することにより面発光パネル２１６に係止され、一対の保持片２１８ｂの間に商品サンプル３１の背面側の端部を圧入することにより商品サンプル３１を保持するようになっている。
【００２６】
商品サンプル３１は、前記第１の実施形態に示す商品サンプル３０の背面側の空間に、左右方向に延びる圧入板３１ａが上下に複数設けられている。商品サンプル３１は、背面側の端部及び圧入板３１ａから一つを選択してサンプル保持部材２１８の保持片２１８ｂの間に圧入することにより、取り付け高さを変更できるようになっている。
【００２７】
以上のように構成された自動販売機において、サンプル展示室２１内に商品サンプル３１を展示する場合には、まず、外扉２０を開放してサンプル展示室２１の背面板２１４を開放する。次に、面発光パネル２１６の各延出部２１６ｃの左右方向所定位置を一対の係合片２１８ａによって挟むようにしてサンプル保持部材２１８を延出部２１６ｃに取り付ける。面発光パネル２１６に取り付けられた各サンプル保持部材２１８の一対の保持片２１８ｂの間に、商品サンプル３１の背面側の端部または圧入板３１ａから一つを選択して圧入することにより、各サンプル保持部材２１８にそれぞれ商品サンプル３１を保持させる。このとき、商品サンプル３１の背面側の端部及び圧入板３１ａの一つを選択してサンプル保持部材２１８の一対の保持片２１８ｂの間に圧入することにより商品サンプル３１の取り付け高さを変更することが可能となる。
【００２８】
このように、本実施形態の自動販売機によれば、商品サンプル３１の上下方向任意の位置を保持可能なサンプル保持部材２１８を備え、面発光パネル２１６に、サンプル保持部材２１８の一対の係合片２１８ａが係合可能な左右方向に亘って前方に延びる延出部２１６ｃを設けたので、面発光パネル２１６の延出部２１６ｃの所定位置にサンプル保持部材２１８を取り付けることにより、商品サンプル３０を面発光パネル２１６の任意の位置に配置することができ、容易に商品サンプル３０の配置を変更することが可能となる。
【００２９】
図１１は本発明の第３の実施形態を示すもので、サンプル展示室を示す自動販売機の要部正面図である。尚、前記第１及び第２の実施形態と同様の構成部分には同一の符号を付して示す。
【００３０】
この自動販売機は、図１１に示すように、サンプル展示室２１の前面側に位置する透明板２１５に複数の商品選択部２２を配置している。
【００３１】
以上のように構成された自動販売機において、図１１に示すように、左右に配置された商品サンプル３０を、それぞれ上端側をそろえて左右に並べることが可能となるとともに、左右二つの商品選択部２２の間に配置することが可能となる。
【００３２】
また、商品サンプル３０が面発光パネル２１６に直接取り付けられることから、サンプル展示室２１内に従来商品サンプル３０を取り付けるために設けられた左右方向に延びるサンプル台を必要とせず、部品点数の低減を図ることが可能となる。更に、サンプル台を使用しないため、サンプル台を使用する場合に生じるサンプル台の定期的な清掃を行う必要がないため、保守管理に必要なコストの低減を図ることが可能となる。また、サンプル台を使用することなく商品サンプル３０をサンプル展示室２１に展示できるので、商品サンプル３０自体の形状を任意の形状に形成することが可能となる。
【図面の簡単な説明】
【００３３】
【図１】本発明の第１の実施形態を示す自動販売機の全体斜視図
【図２】自動販売機の側面断面図
【図３】サンプル展示室を示す自動販売機の要部正面図
【図４】面発光パネル及び商品サンプルの側面断面図
【図５】商品サンプルの取り付け方法を示す面発光パネル及び商品サンプルの分解斜視図
【図６】商品サンプルの取り付け状態を示す面発光パネル及び商品サンプルの斜視図
【図７】本発明の第２の実施形態を示す自動販売機の要部正面図
【図８】面発光パネル及び商品サンプルの側面断面図
【図９】商品サンプルの取り付け方法を示す面発光パネル及び商品サンプルの分解斜視図
【図１０】商品サンプルの取り付け状態を示す面発光パネル及び商品サンプルの斜視図
【図１１】本発明の第３の実施形態を示す自動販売機の要部正面図
【符号の説明】
【００３４】
２１…サンプル展示室、３０…商品サンプル、３１…商品サンプル、３１ａ…圧入板、２１６…面発光パネル、２１６ｂ…係止孔、２１７…サンプル保持部材、２１８…サンプル保持部材。
【図１】
2008139974.tif 000003
【図２】
2008139974.tif 000004
【図３】
2008139974.tif 000005
【図４】
2008139974.tif 000006
【図５】
2008139974.tif 000007
【図６】
2008139974.tif 000008
【図７】
2008139974.tif 000009
【図８】
2008139974.tif 000010
【図９】
2008139974.tif 000011
【図１０】
2008139974.tif 000012
【図１１】
2008139974.tif 000013